(57)【要約】      （修正有）【課題】一つの撮影レンズの収差を調整できる中間リング装置及びそれを有するレンズ装置及び撮像装置を提供すること。【解決手段】撮像装置とカメラ本体との間に取り付け可能な中間リング装置１１において、レンズ鏡筒は光軸周りに回動自在にレンズ鏡筒に係合し、第一レンズ群を保持する第一レンズ保持枠３と、光軸周りに回動自在に第一レンズ保持枠に係合し、第二レンズ群を保持する第二レンズ保持枠と、第一レンズ保持枠に対し、第二レンズ保持枠の回転位置を規制するロック機構７と、光軸周りに回動自在にレンズ鏡筒に係合し、第一レンズ保持枠を回動駆動するレンズ操作手段を有し、中間リング装置はロック解除機構を有し、中間リング装置をレンズ装置１に装着する前後で、レンズ操作手段を操作した際のレンズ機能を変更することを特徴とする。【選択図】図５
2020166086.tif 000002
【特許請求の範囲】
【請求項１】
撮像装置とカメラ本体との間に取り付け可能な中間リング装置において、レンズ鏡筒は光軸周りに回動自在にレンズ鏡筒に係合し、第一レンズ群を保持する第一レンズ保持枠と、光軸周りに回動自在に第一レンズ保持枠に係合し、第二レンズ群を保持する第二レンズ保持枠と、第一レンズ保持枠に対し、第二レンズ保持枠の回転位置を規制するロック機構と、光軸周りに回動自在にレンズ鏡筒に係合し、第一レンズ保持枠を回動駆動するレンズ操作手段を有し、中間リング装置はロック解除機構を有し、中間リング装置をレンズ装置に装着する前後で、レンズ操作手段を操作した際のレンズ機能を変更することを特徴とする中間リング装置。
【請求項２】
前記レンズ機能は、フランジバック調整機能を収差調整機能に変更することを特徴とする請求項１に記載の中間リング装置。
【請求項３】
中間リング装置は、光軸周りに回動自在に中間リング装置に係合する中間リング操作手段を有し、中間リング操作手段によって、レンズ鏡筒のレンズ群を駆動することを特徴とする請求項１又は請求項２に記載の中間リング装置。
【請求項４】
中間リング装置の内部に光学素子を保持することを特徴とする請求項１又は請求項２に記載の中間リング装置。
【請求項５】
中間リング装置の内部に光学素子を保持しないことを特徴とする請求項１又は請求項２に記載の中間リング装置。
【発明の詳細な説明】
【技術分野】
【０００１】
本発明は、撮影用レンズに装着可能な中間リング装置に関し、特に中間リング装置を撮影レンズに装着することで、撮影用レンズの収差を変更する中間リング装置及びそれを有するレンズ装置及び撮像装置に関する。
【背景技術】
【０００２】
従来より、光学部品の間隔や偏心位置や傾きを調整することで収差を抑えた撮影レンズが知られている。高い解像度のある映像表現が得られることから、収差を抑えた撮影レンズが求められる。一方で、柔らかな映像表現が得られることから、収差を残した撮影レンズを求める撮影者も存在する。
【０００３】
ここで撮影者が一つの撮影装置を使用して、様々な映像表現を撮影する場合、特許文献１に示すように、撮影レンズに光学部品の間隔を変更できる操作手段を設ける構造が提案されている。
【先行技術文献】
【特許文献】
【０００４】
【特許文献１】特開平７−７２５４４号公報
【発明の概要】
【発明が解決しようとする課題】
【０００５】
しかしながら、上記の特許文献１によると、収差を変える構造は撮影レンズの外装部にある。撮影レンズはフォーカスやズームなどの操作環を回転駆動して操作するため、上述の特許文献１の構成では、収差調整リングを意図せずに回転駆動することで撮影中に収差を変えてしまう恐れがある。
【０００６】
そこで、本発明の目的は、一つの撮影レンズの収差を調整できる中間リング装置及びそれを有するレンズ装置及び撮像装置を提供することにある。
【課題を解決するための手段】
【０００７】
上記の目的を達成するために、本発明に係る中間リング装置は、
撮像装置とカメラ本体との間に取り付け可能な中間リング装置において、レンズ鏡筒は、光軸周りに回動自在にレンズ鏡筒に係合し、第一レンズ群を保持する第一レンズ保持枠と、光軸周りに回動自在に第一レンズ保持枠に係合し、第二レンズ群を保持する第二レンズ保持枠と、第一レンズ保持枠に対し、第二レンズ保持枠の回転位置を規制するロック機構と、光軸周りに回動自在にレンズ鏡筒に係合し、第一レンズ保持枠を回動駆動するレンズ操作手段を有し、中間リング装置は、ロック解除機構を有し、中間リング装置をレンズ装置に装着する前後で、レンズ操作手段を操作した際のレンズ機能を変更することを特徴とする。
【発明の効果】
【０００８】
本発明によれば、撮影者が撮影時に得たい映像表現に応じて、１本の撮影レンズと中間リング装置の組合せによって収差を変更できる撮像装置を提供することができる。さらに、中間リング装置を使用する場合のみ収差を変更することが出来るため、中間リング装置を使用しない場合は撮影中に収差変更の誤操作を防ぐことが出来る。
【図面の簡単な説明】
【０００９】
【図１】本発明の実施例１におけるレンズ装置１の斜視図を示す。
【図２】本発明の実施例１におけるレンズ装置１の断面図を示す。
【図３】本発明の実施例１における中間リング装置１１の斜視図を示す。
【図４】本発明の実施例１における中間リング装置１１の断面図を示す。
【図５】本発明の実施例１におけるレンズ装置１と中間リング装置１１の接続状態の断面図を示す。
【図６】本発明の実施例１における収差調整時のレンズ装置１と中間リング装置１１の接続状態の断面図を示す。
【図７】本発明の実施例２における中間リング装置２０の斜視図を示す。
【図８】本発明の実施例２における中間リング装置２０の断面図を示す。
【図９】本発明の実施例１におけるレンズ装置１と中間リング装置２０の接続状態の断面図を示す。
【発明を実施するための形態】
【００１０】
以下、本発明を実施するための形態について、図面を参照しながら詳細に説明する。
【実施例１】
【００１１】
以下、図１から図６を参照して本発明の第１の実施例による撮像装置について説明する。
【００１２】
図１は本実施例におけるレンズ装置１の斜視図を示す。図２は本実施例におけるレンズ装置１の断面図を示す。
【００１３】
レンズ装置１はフォーカスレンズ群（不図示）とズームレンズ群（不図示）を有し、其々のレンズ群を光軸Ｏ方向へ動かすことでフォーカス及びズームを行う。レンズ装置１は内部に雌ネジ形状１ａを有する。レンズ移動枠２の外周部には雄ネジ形状２ａを有し、レンズ装置１と螺合して光軸Ｏ向へ駆動可能に保持される。カムフォロア４はレンズ保持枠３から突出して保持され、レンズ移動枠２に形成されたカム溝２ｂと係合する。したがって、レンズ保持枠３はレンズ移動枠２に対して光軸Ｏ方向へ移動可能に保持される。レンズ移動枠２とレンズ保持枠３の間には、レンズ移動枠２から離間する方向へレンズ保持枠３を付勢するバネ５と、滑りワッシャ６が構成される。ロック部材７はレンズマウント８側に斜面部７ａを有し、バネ９によってレンズ保持枠３の径方向へ付勢される。
【００１４】
フランジバック調整機構１０はレンズ移動枠２と連結され、レンズ装置１の外周を回転可能に保持される。フランジバック調整機構１０を回転することで、レンズ移動枠２を光軸方向へ駆動する。本実施例では、レンズ装置１にレンズ移動枠２が螺合した構造としているが、この限りではなく、フランジバック調整機構１０の回転操作によってレンズ移動枠２を光軸Ｏ方向へ駆動する構造であれば良い。また、同様に、レンズ移動枠２とレンズ保持枠３はカムフォロア４によって係合保持された構造としているが、この限りではなく、レンズ移動枠２に対してレンズ保持枠３が光軸Ｏ方向へ駆動可能な構造であれば良い。
【００１５】
図３は本実施例における中間リング装置１１の斜視図を示す。図４は本実施例における中間リング装置１１の断面図を示す。
【００１６】
中間リング装置１１はレンズ装置１のレンズマウント８に対して回転させて係合する中間リングマウント１２と、撮像装置のカメラマウント（不図示）にたいして回転させて係合するマウント１３を有する。ロック解除ピン１４はバネ１５よって光軸Ｏ方向へ付勢され、止め環１６によって中間リング装置１１から脱落しないように保持されている。中間リングロック機構１７は中間リング装置１１の外面に設けられ、光軸Ｏ方向へ操作することで、ピン１８を光軸Ｏ方向へ進退させる。本実施例では、中間リング装置１１の内部に光学素子１００を有した構成としているが、この限りではなく、中間リング装置１１の内部に光学素子１００が無くても良い。
【００１７】
以上の構成によって、レンズ装置１の収差を変更する操作について説明する。
【００１８】
図５に、レンズ装置１と中間リング装置１１の接続状態の断面図を示す。図６に、収差調整時のレンズ装置１と中間リング装置１１の接続状態の断面図を示す。
【００１９】
レンズ装置１の収差を変更する際、最初にレンズ装置１に中間リング装置１１を接続し、ロック部材７の斜面部７ａにロック解除ピン１４を当接させる。この操作によって、レンズ保持枠３はレンズ移動枠２に対するロックを解除される。次に、フランジバック調整機構１０を回転駆動すると、レンズ移動枠２は光軸Ｏ方向へ駆動される。この時、レンズ保持枠３はロック解除ピン１４を介して中間リング装置１１に係合しているため、レンズ保持枠３は光軸Ｏ方向へ駆動しない。よって、レンズ移動枠２に保持された光学素子２００とレンズ保持枠３に保持された光学素子３００の間隔を変更することができるため、レンズ装置の収差を変えることができる。また、フランジバック調整機構１０に有しているロック機構（不図示）を用いることで、変更した収差位置を固定することもできる。
【００２０】
次に、中間リング装置１１を外す場合の操作について説明する。
【００２１】
中間リングロック機構１７を操作し、レンズマウント８に対するロックを解除した状態で、中間リング装置１１をレンズ装置１に対して回転させて、マウント同士の係合を解除する。この操作によって、中間リング装置１１と共にレンズ保持枠３は回転し、矢印Ａ方向へ移動する。中間リング装置１１を取り外すと、レンズ保持枠３はバネ５によって矢印Ｂ方向へ付勢され、ロック部材７がレンズ移動枠２に係合する位置で保持される。本発明によれば、レンズ装置１と中間リング装置２０の組合せによって収差を変更できる撮像装置を提供することができる。さらに、収差を変更した際のロック機構をフランジバック調整機構１０のロック機構と兼用することが出来るため、間リング装置１１の構造を簡素化できる。
【実施例２】
【００２２】
以下、図７から図９を参照して本発明の第２の実施例による撮像装置について説明する。
【００２３】
図７は本実施例における中間リング装置２０の斜視図を示す。図８は本実施例における中間リング装置２０の断面図を示す。
【００２４】
回転枠２１は光軸Ｏを中心に回転可能に中間リング装置２０の内部に保持される。ロック解除ピン１４はバネ１５によって光軸Ｏ方向へ付勢され、止め環１６によって回転枠２１から脱落しないように保持されている。本実施例では、中間リング装置２０の内部に光学素子４００を有した構成としているが、この限りではなく、中間リング装置２０の内部に光学素子４００が無くても良い。操作環２２は押え環２３により光軸Ｏ方向の移動を規制され、光軸Ｏを中心に中間リング装置２０の外径を回転可能に保持される。回転枠２１と操作環２２は連結ピン２４によって結合されている。他の符号及び構成は実施例１と同様に付き説明を割愛する。
【００２５】
以上の構成によって、レンズ装置１の収差を変更する操作について説明する。
【００２６】
図９にレンズ装置１と中間リング装置２０の接続状態の断面図を示す。
【００２７】
レンズ装置１と中間リング装置２０の接続に関する内容は実施例１と同様のため、説明を割愛する。レンズ装置１に中間リング装置２０を接続した後、操作環２２を回転操作することでロック解除ピン１４を介してレンズ保持枠３を回転操作できる。このため、フランジバック調整機構１０によって、レンズ移動枠２の位置を動かしながら、操作環２２によってレンズ保持枠３の位置も動かすことが出来る。本実施例によれば、実施例１に記載した構造に加えて、レンズ保持枠３に保持された光学素子３００の位置を変更することができるため、更に好適な収差変更を可能とすることが出来る。
【００２８】
以上、本発明の好ましい実施形態について説明したが、本発明はこれらの実施形態に限定されず、その要旨の範囲内で種々の変形及び変更が可能である。
【符号の説明】
【００２９】
１  レンズ装置、１ａ  雌ネジ形状、２  レンズ移動枠、２ａ  雄ネジ形状、
２ｂ  カム溝、３  レンズ保持枠、４  カムフォロア、５  バネ、
６  滑りワッシャ、７  ロック部材、７ａ  斜面部、８  レンズマウント、
９  バネ、１０  フランジバック調整機構、１１  中間リング装置、
１２  中間リングマウント、１３  マウント、１４  ロック解除ピン、
１５  バネ、１６  止め環、１７  中間リングロック部材、１８  ピン、
２０  中間リング装置、２１  回転枠、２２  操作環、２３  押え環、
２４  連結ピン、１００，２００，３００，４００  １光学素子、
Ｏ：光軸
【図１】
2020166086.tif 000003
【図２】
2020166086.tif 000004
【図３】
2020166086.tif 000005
【図４】
2020166086.tif 000006
【図５】
2020166086.tif 000007
【図６】
2020166086.tif 000008
【図７】
2020166086.tif 000009
【図８】
2020166086.tif 000010
【図９】
2020166086.tif 000011